【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】通信網の輻輳防止方法、放送受信システム、放送受信装置及び情報通信端末
【手続補正２】
【補正対象書類名】明細書
【補正対象項目名】特許請求の範囲
【補正方法】変更
【補正の内容】
【特許請求の範囲】
【請求項１】
放送番組の示す特定の接続先に接続するための接続先情報を情報通信端末で受信し、該接続先情報に基づいて該情報通信端末から通信網を介して該接続先に接続する放送番組と情報通信端末との連携時における輻輳を防止する通信網の輻輳防止方法であって、
該情報通信端末で、該接続先情報とともに、該接続先への接続を規制する接続規制情報を受信することを特徴とする通信網の輻輳防止方法。
【請求項２】
請求項１の通信網の輻輳防止方法において、
上記情報通信端末で乱数を生成するとともに、上記接続規制情報として該乱数に対する閾値を受信し、
該乱数と該閾値とに基づいて、該情報通信端末における該接続先への接続を制御することを特徴とする通信網の輻輳防止方法。
【請求項３】
請求項１の通信網の輻輳防止方法において、
上記接続規制情報として、複数の情報通信端末のうち特定の情報通信端末を指定する端末指定情報を上記情報通信端末で受信し、
該端末指定情報に基づいて、該情報通信端末における上記接続先への接続を制御することを特徴とする輻輳防止方法。
【請求項４】
放送番組の示す特定の接続先に接続するための接続先情報を情報通信端末で受信し、該接続先情報に基づいて該情報通信端末から通信網を介して該接続先に接続する放送番組と情報通信端末との連携時における輻輳を防止する通信網の輻輳防止方法であって、
該情報通信端末が、該接続先情報とともに、該放送番組における該情報通信端末の使用者に解答を促す問題と該問題に対する正解データとを受信し、
該正解データと該情報通信端末から入力された解答データが一致した場合に該接続先へ該解答データを送ることを特徴とする通信網の輻輳防止方法。
【請求項５】
放送番組の示す特定の接続先に接続するための接続先情報を情報通信端末で受信し、該接続先情報に基づいて該情報通信端末から通信網を介して該接続先に接続する放送番組と情報通信端末との連携時における通信網の輻輳を防止する輻輳防止方法であって、
該接続先情報に含まれる該接続先のメールアドレス、ＵＲＬ、電話番号等の表記が非表示にされた状態で且つ該情報通信端末の接続操作によって該接続先への接続が可能な状態で、該接続先情報を該情報通信端末で受信することを特徴とする通信網の輻輳防止方法。
【請求項６】
請求項１、２、３、４又は５通信網の輻輳防止方法において、
上記接続先情報が、放送局から送信される放送信号に含まれていることを特徴とする通信網の輻輳防止方法。
【請求項７】
請求項６の通信網の輻輳防止方法において、
上記接続先情報が、該接続先情報を含む放送信号を受信した放送受信装置から上記情報通信端末に送られてくることを特徴とする通信網の輻輳防止方法。
【請求項８】
請求項１、２、３、４又は５の通信網の輻輳防止方法において、
上記接続先情報が、放送番組と連携して情報通信端末用通信装置から上記情報通信端末に送られてくることを特徴とする通信網の輻輳防止方法。
【請求項９】
特定の接続先に接続するための接続先情報を含む放送番組情報を受信し、該接続先情報を情報通信端末に送信する放送受信装置と、該放送受信装置から送信された該接続先情報を受信し、該接続先情報に基づいて通信網を介して該接続先に接続して通信可能な情報通信端末とを組み合わせて構成された放送受信システムであって、
該接続先情報に含まれる該接続先のメールアドレス、ＵＲＬ、電話番号等の表記が該放送受信装置及び該情報通信端末において非表示にされた状態で且つ該情報通信端末の接続操作によって該接続先への接続が可能な状態で、該接続先情報を該放送受信装置を経由して該情報通信端末で受信することを特徴とする放送受信システム。
【請求項１０】
請求項９の放送受信システムにおいて、
上記情報通信端末が、放送局から送信された放送番組情報を受信する放送受信部を備え、
該放送受信部で、上記放送受信装置から送信されてくる上記接続先情報を受信することを特徴とする放送受信システム。
【請求項１１】
放送番組と連携して特定の接続先に接続するための接続先情報を情報通信端末に送信する情報通信端末用通信装置と、放送番組情報を受信する放送受信装置と、該情報通信端末用通信装置から送信された該接続先情報を受信し、該接続先情報に基づいて通信網を介して該接続先に接続して通信可能な情報通信端末とを組み合わせて構成された放送受信システムであって、
該情報通信端末用通信装置が、該接続先情報とともに、該接続先への接続を規制する接続規制情報を該情報通信端末に送信するように構成され、
該情報通信端末が、該情報通信端末用通信装置から受信した該接続規制情報に基づいて該接続先への接続を制御する制御部を備えていることを特徴とする放送受信システム。
【請求項１２】
放送番組の示す特定の接続先に接続するための接続先情報を受信し、該接続先情報に基づいて通信網を介して該接続先に接続して通信可能な情報通信端末であって、
該接続先情報に含まれる該接続先のメールアドレス、ＵＲＬ、電話番号等の表記が非表示にされた状態で、該情報通信端末の接続操作によって該接続先へ接続されるように構成されていることを特徴とする情報通信端末。
【請求項１３】
放送番組の示す特定の接続先に接続するための接続先情報を受信し、該接続先情報に基づいて通信網を介して該接続先に接続して通信可能な情報通信端末であって、
乱数を生成する乱数生成部と、
該接続先への接続を規制する接続規制情報として該乱数に対する閾値を受信する閾値受信部と、
該乱数と該閾値とに基づいて該接続先への接続を制御する接続制御部とを備えたことを特徴とする情報通信端末。
【請求項１４】
請求項１２又は１３の情報通信端末において、
放送局から送信された放送番組情報を受信する放送受信部を備え、
上記接続先情報を、該放送受信部で受信することを特徴とする情報通信端末。
【請求項１５】
特定の接続先に接続するための接続先情報を含む放送番組情報を受信し、該接続先情報を情報通信端末に送信する放送受信装置であって、
該接続先情報を近距離無線通信によって該情報通信端末に送信することを特徴とする放送受信装置。
【請求項１６】
請求項１５の放送受信装置において、
上記接続先情報とともに、上記接続先への接続を規制する接続規制情報を上記情報通信端末に送信することを特徴とする放送受信装置。
【手続補正３】
【補正対象書類名】明細書
【補正対象項目名】０００１
【補正方法】変更
【補正の内容】
【０００１】
【発明の属する技術分野】
本発明は、放送番組の示す特定の接続先に接続するための接続先情報を情報通信端末で受信し、該接続先情報に基づいて該情報通信端末から通信網を介して該接続先に接続する放送番組と携帯電話機等の情報通信端末との連携時における輻輳を防止する通信網の輻輳防止方法、放送受信システム、放送受信装置及び情報通信端末に関するものである。
【手続補正４】
【補正対象書類名】明細書
【補正対象項目名】０００４
【補正方法】変更
【補正の内容】
【０００４】
本発明は以上の背景の下でなされたものであり、その目的は、放送番組を視聴した多数の視聴者が情報通信端末から通信網を介して特定の接続先に一斉に接続して通信しようとする場合でも、通信網における負荷増大を抑えて輻輳の発生を未然に防止することができる通信網の輻輳防止方法、放送受信システム、放送受信装置及び情報通信端末を提供することである。
【手続補正５】
【補正対象書類名】明細書
【補正対象項目名】００１９
【補正方法】変更
【補正の内容】
【００１９】
請求項１４の発明は、請求項１２又は１３の情報通信端末において、放送局から送信された放送番組情報を受信する放送受信部を備え、上記接続先情報を、該放送受信部で受信することを特徴とするものである。
この請求項１４の情報通信端末では、放送受信部で、放送番組情報を受信して放送番組の内容を出力できるとともに、上記接続先情報を放送受信装置を介さずに受信できるので、放送受信装置を個別に用意する必要がない。
請求項１５の発明は、特定の接続先に接続するための接続先情報を含む放送番組情報を受信し、該接続先情報を情報通信端末に送信する放送受信装置であって、該接続先情報を近距離無線通信によって該情報通信端末に送信することを特徴とするものである。
この請求項１５の放送受信装置では、特定の接続先に接続するための接続先情報を含む放送番組情報を受信し、その放送番組情報に含まれる接続先情報を近距離無線通信によって該情報通信端末に送信するので、情報通信端末が上記放送番組情報を受信する機能を有していない場合でも、放送番組と、特定の接続先に接続する情報通信端末との連携が可能になる。
請求項１６の発明は、請求項１５の放送受信装置において、上記接続先情報とともに、上記接続先への接続を規制する接続規制情報を上記情報通信端末に送信することを特徴とするものである。
この請求項１６の放送受信装置では、上記接続先情報とともに、上記接続先への接続を規制する接続規制情報を情報通信端末に送信することにより、情報通信端末において接続規制情報に基づいて接続先への接続を規制できるようにする。
【手続補正６】
【補正対象書類名】明細書
【補正対象項目名】００５６
【補正方法】変更
【補正の内容】
【００５６】
特に、請求項１０及び１４の発明によれば、放送受信装置を個別に用意する必要がすることなく、放送番組の内容の出力及び上記特定の接続先への接続が可能になるという優れた効果がある。
請求項１５及び１６の発明によれば、情報通信端末が放送番組情報を受信する機能を有していない場合でも、放送番組と、特定の接続先に接続する情報通信端末との連携が可能になるという優れた効果がある。
特に、請求項１６の発明によれば、情報通信端末において接続規制情報に基づいて接続先への接続を規制することができるので、通信網における負荷増大を抑えることができるという優れた効果がある。